【手続補正書】
【提出日】平成30年5月31日(2018.5.31)
【手続補正１】
【補正対象書類名】明細書
【補正対象項目名】発明の名称
【補正方法】変更
【補正の内容】
【発明の名称】電子機器
【手続補正２】
【補正対象書類名】特許請求の範囲
【補正対象項目名】全文
【補正方法】変更
【補正の内容】
【特許請求の範囲】
【請求項１】
可撓性を有するフィルムと、
前記フィルム上に設けられた第１の走査線駆動回路と、
前記フィルム上に設けられた第２の走査線駆動回路と、
前記フィルム上に設けられた表示部と、
前記表示部に信号を送る機能を有する外部接続配線と、
前記外部接続配線上に設けられたＩＣと、を有し、
前記表示部は、画素電極を有し、
前記第１の走査線駆動回路及び前記第２の走査線駆動回路の各々は、薄膜トランジスタを有し、
前記フィルムは、第１の方向において第１の辺及び第２の辺と、前記第１の方向と交差する第２の方向において第３の辺と、を有し、
前記第１の走査線駆動回路は、前記第１の辺に沿うように設けられ、
前記第２の走査線駆動回路は、前記第２の辺に沿うように設けられ、
前記フィルムは、前記第２の方向に湾曲した第１の湾曲部と、前記第２の方向に湾曲した第２の湾曲部と、前記第１の方向に湾曲した第３の湾曲部と、を有し、
前記第２の方向に湾曲した前記第１の湾曲部は、前記第１の辺に沿うように設けられ、
前記第２の方向に湾曲した前記第２の湾曲部は、前記第２の辺に沿うように設けられ、
前記第１の方向に湾曲した前記第３の湾曲部は、前記第３の辺に沿うように設けられ、
前記第１の湾曲部に、前記第１の走査線駆動回路と前記表示部との間の領域が位置しており、
前記第２の湾曲部に、前記第２の走査線駆動回路と前記表示部との間の領域が位置していることを特徴とする電子機器。
【請求項２】
可撓性を有するフィルムと、
前記フィルム上に設けられた第１の走査線駆動回路と、
前記フィルム上に設けられた第２の走査線駆動回路と、
前記フィルム上に設けられた表示部と、
前記表示部に信号を送る機能を有する外部接続配線と、
前記外部接続配線上に設けられたＩＣと、を有し、
前記表示部は、画素電極を有し、
前記第１の走査線駆動回路及び前記第２の走査線駆動回路の各々は、薄膜トランジスタを有し、
前記フィルムは、第１の方向において第１の辺及び第２の辺と、前記第１の方向と交差する第２の方向において第３の辺と、を有し、
前記第１の走査線駆動回路は、前記第１の辺に沿うように設けられ、
前記第２の走査線駆動回路は、前記第２の辺に沿うように設けられ、
前記フィルムは、前記第１の辺に沿うように設けられた第１の湾曲部と、前記第２の辺に沿うように設けられた第２の湾曲部と、前記第３の辺に沿うように設けられた第３の湾曲部と、を有し、
前記第１の湾曲部に、前記第１の走査線駆動回路と前記表示部との間の領域が位置しており、
前記第２の湾曲部に、前記第２の走査線駆動回路と前記表示部との間の領域が位置していることを特徴とする電子機器。
【請求項３】
可撓性を有するフィルムと、
前記フィルム上に設けられた第１の走査線駆動回路と、
前記フィルム上に設けられた第２の走査線駆動回路と、
前記フィルム上に設けられた表示部と、
前記表示部に信号を送る機能を有する外部接続配線と、
前記外部接続配線上に設けられたＩＣと、を有し、
前記表示部は、画素電極を有し、
前記第１の走査線駆動回路及び前記第２の走査線駆動回路の各々は、薄膜トランジスタを有し、
前記フィルムは、第１の方向において第１の辺及び第２の辺と、前記第１の方向と交差する第２の方向において第３の辺と、を有し、
前記第１の走査線駆動回路は、前記第１の辺に沿うように設けられ、
前記第２の走査線駆動回路は、前記第２の辺に沿うように設けられ、
前記フィルムは、前記第２の方向に湾曲した第１の湾曲部と、前記第２の方向に湾曲した第２の湾曲部と、前記第１の方向に湾曲した第３の湾曲部と、を有し、
前記第２の方向に湾曲した前記第１の湾曲部は、前記第１の辺に沿うように設けられ、
前記第２の方向に湾曲した前記第２の湾曲部は、前記第２の辺に沿うように設けられ、
前記第１の方向に湾曲した前記第３の湾曲部は、前記第３の辺に沿うように設けられ、
前記第１の湾曲部に、前記第１の走査線駆動回路と前記表示部との間の領域が位置しており、
前記第２の湾曲部に、前記第２の走査線駆動回路と前記表示部との間の領域が位置しており、
前記フィルムの端部は、前記画素電極と重なる領域を有することを特徴とする電子機器。
【請求項４】
可撓性を有するフィルムと、
前記フィルム上に設けられた第１の走査線駆動回路と、
前記フィルム上に設けられた第２の走査線駆動回路と、
前記フィルム上に設けられた表示部と、
前記表示部に信号を送る機能を有する外部接続配線と、
前記外部接続配線上に設けられたＩＣと、を有し、
前記表示部は、画素電極を有し、
前記第１の走査線駆動回路及び前記第２の走査線駆動回路の各々は、薄膜トランジスタを有し、
前記フィルムは、第１の方向において第１の辺及び第２の辺と、前記第１の方向と交差する第２の方向において第３の辺と、を有し、
前記第１の走査線駆動回路は、前記第１の辺に沿うように設けられ、
前記第２の走査線駆動回路は、前記第２の辺に沿うように設けられ、
前記フィルムは、前記第１の辺に沿うように設けられた第１の湾曲部と、前記第２の辺に沿うように設けられた第２の湾曲部と、前記第３の辺に沿うように設けられた第３の湾曲部と、を有し、
前記第１の湾曲部に、前記第１の走査線駆動回路と前記表示部との間の領域が位置しており、
前記第２の湾曲部に、前記第２の走査線駆動回路と前記表示部との間の領域が位置しており、
前記フィルムの端部は、前記画素電極と重なる領域を有することを特徴とする電子機器。
【請求項５】
可撓性を有するフィルムと、
前記フィルム上に設けられた第１の走査線駆動回路と、
前記フィルム上に設けられた第２の走査線駆動回路と、
前記フィルム上に設けられた表示部と、
前記表示部に信号を送る機能を有する外部接続配線と、
前記外部接続配線上に設けられたＩＣと、を有し、
前記表示部は、画素電極を有し、
前記第１の走査線駆動回路及び前記第２の走査線駆動回路の各々は、薄膜トランジスタを有し、
前記フィルムは、第１の方向において第１の辺及び第２の辺と、前記第１の方向と交差する第２の方向において第３の辺と、を有し、
前記第１の走査線駆動回路は、前記第１の辺に沿うように設けられ、
前記第２の走査線駆動回路は、前記第２の辺に沿うように設けられ、
前記フィルムは、前記第２の方向に湾曲した第１の湾曲部と、前記第２の方向に湾曲した第２の湾曲部と、前記第１の方向に湾曲した第３の湾曲部と、を有し、
前記第２の方向に湾曲した前記第１の湾曲部は、前記第１の辺に沿うように設けられ、
前記第２の方向に湾曲した前記第２の湾曲部は、前記第２の辺に沿うように設けられ、
前記第１の方向に湾曲した前記第３の湾曲部は、前記第３の辺に沿うように設けられ、
前記第１の走査線駆動回路と前記第２の走査線駆動回路との間に、前記第１の湾曲部と前記第２の湾曲部とが設けられ、
前記第１の湾曲部と前記第２の湾曲部との間に、前記表示部が設けられていることを特徴とする電子機器。
【請求項６】
可撓性を有するフィルムと、
前記フィルム上に設けられた第１の走査線駆動回路と、
前記フィルム上に設けられた第２の走査線駆動回路と、
前記フィルム上に設けられた表示部と、
前記表示部に信号を送る機能を有する外部接続配線と、
前記外部接続配線上に設けられたＩＣと、を有し、
前記表示部は、画素電極を有し、
前記第１の走査線駆動回路及び前記第２の走査線駆動回路の各々は、薄膜トランジスタを有し、
前記フィルムは、第１の方向において第１の辺及び第２の辺と、前記第１の方向と交差する第２の方向において第３の辺と、を有し、
前記第１の走査線駆動回路は、前記第１の辺に沿うように設けられ、
前記第２の走査線駆動回路は、前記第２の辺に沿うように設けられ、
前記フィルムは、前記第１の辺に沿うように設けられた第１の湾曲部と、前記第２の辺に沿うように設けられた第２の湾曲部と、前記第３の辺に沿うように設けられた第３の湾曲部と、を有し、
前記第１の走査線駆動回路と前記第２の走査線駆動回路との間に、前記第１の湾曲部と前記第２の湾曲部とが設けられ、
前記第１の湾曲部と前記第２の湾曲部との間に、前記表示部が設けられていることを特徴とする電子機器。
【請求項７】
可撓性を有するフィルムと、
前記フィルム上に設けられた第１の走査線駆動回路と、
前記フィルム上に設けられた第２の走査線駆動回路と、
前記フィルム上に設けられた表示部と、
前記表示部に信号を送る機能を有する外部接続配線と、
前記外部接続配線上に設けられたＩＣと、を有し、
前記表示部は、画素電極を有し、
前記第１の走査線駆動回路及び前記第２の走査線駆動回路の各々は、薄膜トランジスタを有し、
前記フィルムは、第１の方向において第１の辺及び第２の辺と、前記第１の方向と交差する第２の方向において第３の辺と、を有し、
前記第１の走査線駆動回路は、前記第１の辺に沿うように設けられ、
前記第２の走査線駆動回路は、前記第２の辺に沿うように設けられ、
前記フィルムは、前記第２の方向に湾曲した第１の湾曲部と、前記第２の方向に湾曲した第２の湾曲部と、前記第１の方向に湾曲した第３の湾曲部と、を有し、
前記第２の方向に湾曲した前記第１の湾曲部は、前記第１の辺に沿うように設けられ、
前記第２の方向に湾曲した前記第２の湾曲部は、前記第２の辺に沿うように設けられ、
前記第１の方向に湾曲した前記第３の湾曲部は、前記第３の辺に沿うように設けられ、
前記第１の走査線駆動回路と前記第２の走査線駆動回路との間に、前記第１の湾曲部と前記第２の湾曲部とが設けられ、
前記第１の湾曲部と前記第２の湾曲部との間に、前記表示部が設けられ、
前記フィルムの端部は、前記画素電極と重なる領域を有することを特徴とする電子機器。
【請求項８】
可撓性を有するフィルムと、
前記フィルム上に設けられた第１の走査線駆動回路と、
前記フィルム上に設けられた第２の走査線駆動回路と、
前記フィルム上に設けられた表示部と、
前記表示部に信号を送る機能を有する外部接続配線と、
前記外部接続配線上に設けられたＩＣと、を有し、
前記表示部は、画素電極を有し、
前記第１の走査線駆動回路及び前記第２の走査線駆動回路の各々は、薄膜トランジスタを有し、
前記フィルムは、第１の方向において第１の辺及び第２の辺と、前記第１の方向と交差する第２の方向において第３の辺と、を有し、
前記第１の走査線駆動回路は、前記第１の辺に沿うように設けられ、
前記第２の走査線駆動回路は、前記第２の辺に沿うように設けられ、
前記フィルムは、前記第１の辺に沿うように設けられた第１の湾曲部と、前記第２の辺に沿うように設けられた第２の湾曲部と、前記第３の辺に沿うように設けられた第３の湾曲部と、を有し、
前記第１の走査線駆動回路と前記第２の走査線駆動回路との間に、前記第１の湾曲部と前記第２の湾曲部とが設けられ、
前記第１の湾曲部と前記第２の湾曲部との間に、前記表示部が設けられ、
前記フィルムの端部は、前記画素電極と重なる領域を有することを特徴とする電子機器。